(57)【要約】      （修正有）【課題】本来のノート型パソコンの使用方法に支障なく、１本のＵＳＢケーブルで接続ができ、音量や音質等を考慮し、放熱効果をも兼ね備えたスピーカーを提供する。【解決手段】エキサイターの取り付けを工夫しスピーカーボックスをノート型パソコンの下に敷くこととでスペースの問題を解決。接続に関しては独自のＵＳＢオーデオデジタルアンプを取り付ける事で、ＵＳＢケーブル１本の接続で完結し、ノート型パソコンの接触面をアルミ板にすることで放熱効果もえられる。【選択図】図７
2006067534.tif 000002
【特許請求の範囲】
【請求項１】
ノート型パソコンの台として使用ができ、ＵＳＢ（ユニバーサルシリアルバス）接続だけで電源および音声信号を取り込み臨場感のある音がえられる。パソコン台を立てて使用すれば更に高音質のスピーカーとしての機能もえられ、デジタルＡＭＰを使用することで消費電力も少なく発熱も少ない。ノート型パソコンとの接触面にアルミ板を使用することで放熱効果も得られる。
【請求項２】
ＵＳＢオーデオデジタルアンプＵＳＢを備えたデジタルＡＭＰで基盤は一体型の構成になっているが、２つの回路を分離できるようになっており、基板の溝に沿って手で折ることによりＵＳＢオーデオ基板とデジタルＡＭＰ基板部分が切り離され、電源および信号系統の端子が独立し用途に合わせて使用する事ができる。
【請求項３】
エキサイターを振動板にボビン部まで埋め込み接着し信号ケーブルをエキサイターヘッドに一回転させ接着することでエキサイターの固定金具が必要なくエキサイターの振動を最大限に引き出すことができる
【発明の詳細な説明】
【技術分野】
【０００１】本発明は、ノート型パソコン台として下に敷く放熱タイプのＵＳＢオーデオデジタルＡＭＰ内臓スピーカーである［発明が解決しようとする課題］【０００２】映像や音楽に関するパソコン用ソフトが普及し、ノート型パソコンにて音楽やＤＶＤ映像を視聴することも多く、パソコン本体のみで使用した場合の音量はモニター程度にしか聞こえず、音質も優れているとは言えない。【０００３】音量や音質を改善するためには、外付けスピーカーをノート型パソコンに接続し左右に設置、ケーブル等をつなぐ。さらにノート型パソコンのアウトプット端子もしくはイヤホン端子のどちらかをスピーカーのアンプに接続する。また電源はパソコンと別になっている物が多く。非常に複雑である。【０００４】以上述べたように従来のノート型パソコンで、音楽を聴く場合や映画を見る場合、音質、音量ともに満足のいくものもなく。かといって、外部スピーカー等を接続し、ステレオで聞く場合、最低２台もしくはウーハー用を入れて３台も接続する場合もあり、ケーブルも複雑に配線しなければならず、ノート型パソコン本来の場所も取らす、手軽に使用できる等の使い勝手の良さは、無くなる。［問題解決の手段］【０００５】本発明は、ノート型パソコン本来の使用目的、小スペース設計、手軽で持ち運び可能。等をふまえ、本来のノート型パソコンの使用方法に支障なく、１本のＵＳＢケーブルで接続ができ音量や音質等を考慮しノート型パソコン特有の底面からの発熱を拡散する効果をも兼ね備えたスピーカー台を実現させたものである。【０００６】  まず本発明は図１のように傾斜を持たせた台の中にスピーカーシステムを構築させノート型パソコンを台の上に置くことによりノートの外形以外のスペースを必要としない小スペース設計である。「外形のケースに関して」【０００７】  台に傾斜をつけることで従来のパソコン操作も容易にでき、ノートパソコンの発熱も熱伝導効率のよいアルミ板を接触面に使用することでノート型パソコン裏面の放熱効果を高める【０００８】  台の上にノートをおくことで音等の逃げ道を失うため、台の下側は図２の８００のようにメッシュのアルミ板を使用する。【０００９】  図１の００１のように振動するパネルを下向きにつけ、図３のように４０１のパネル止めをパネルの下面のコーナーに沿ってクッションバーを四角く貼り中を空洞になるように止める事により下方から出る音と上から出る音を分離させ干渉を少なくする。【００１０】  パネルを振動さすエキサイターは図２のようにお互いに干渉しないように位置をずらし図４の様に、パネルを貫通させエキサイターをボビンまで埋め込み接着し図３の３０１のように振動面を布粘着テープにて接着する。エキサイターをパネルに埋め込むことにより台の高さを低くできる【００１１】  図４の００２ａ・００２ｂのようにアンプに接続するためのケーブルを一回転させエキサイターとケーブルを接着するだけでエキサイターを取り付ける金具も必要なくまた、金具を省きスピーカーケーブルのみであればエキサイターの反動を利用する事で音量も大きくなる。「デジタルアンプに関して」【００１２】  図１の１０１は独自に開発したＵＳＢオーデオデジタルアンプである。  デジタルにすることで少量の��力で動作し、発熱もアナログアンプと比べ非常に少ない。  また、ノイズが少なくクリアなサウンドがえられる。【００１３】  図２の１０４は外部入力（インプット）端子で外部入力優先になっている【００１４】  図５の１０２部分（ＵＳＢオーディオボード）はパソコンからＵＳＢケーブルを経由し左右の音と電源をデジタルアンプに伝えるためのボードでオペアンプを組み込みイヤホン程度のものは接続できるようになっている。【００１５】  図５の１０３部分はデジタルアンプ部分で１０２から受けた電源にて動作し１０２から受けた左右の音を増幅させエキサイターを振動させるデジタルパワーアンプである。【００１６】  デジタルアンプの出力側はフルパワー出力になっており１０４のボリュームにて入力側の音量を調整するようになっておりデジタルアンプ特有の２ボタン式ボリュームでは非常に使いにくくあえて入力側に回転式ステレオボリュームを取り付けたものである。【００１７】  入力ボリュームをつけた理由は［００１３］で述べた以外にＵＳＢの消費電力には制限がありアンプなどの電源をＵＳＢから供給する場合、ＵＳＢ消費電力の制限を超えた場合はパソコン側がエラーを起こす恐れがあり、ＤＶＤムービーなどの音が急に大きくなった場合は消費電力を規定より超えることがあるため、それぞれの出力に合わせ調整ができる【００１８】  このＵＳＢオーデオデジタルアンプは図５のＡの線を手で折ることによりＵＳＢオーデオとデジタルアンプを単独で使用できる。【００１９】  ボードをセパレートにすることでＵＳＢボード、デジタルアンプのそれぞれが単体でも使用が可能でデジタルアンプ位置を移動させることでスペースも自由になる。【００２０】  また、［００１６］で述べた消費電力の問題もセパレートにすることでそれぞれ独自に電源供給がえられ、ＵＳＢの入力側はノートパソコン側の電源を利用し、アンプは外部電源を利用することができるためデジタルアンプの持つ最大限の能力を発揮させることができる。【００２１】  以上述べたように、パネルボードのエキサイターの取り付け、オリジナルＵＳＢオーデオデジタルアンプ、接触面をアルミ板の使用によりノート型パソコンに最適なスピーカー付きノートパソコン台ができる。また、［図７］・［図８］の用に外側のケースを変更するだけでノート型パソコンの台やアームスタンドに取り付けるなど、目的に合わせて変更ができる。
【図面の簡単な説明】
【００２２】
【図１】本発明の実施形態を示す横からの断面図
【図２】本発明の斜め上からの断面図
【図３】フラットパネル（エキサイター装着面）の裏側から見た図
【図４】フラットパネルにエキサイター装着断面図
【図５】ＵＳＢデジタルアンプ一体型
【図６】ＵＳＢオーデオボードとデジタルアンプを切り離した図
【図７】設置例  本発明の台にノート型パソコンを乗せる時の図
【図８】設置例  本発明をパソコンアームの間に取り付けた
【符号の説明】
１０１  ＵＳＢオーデオデジタルアンプ２０１ａ  エキサイター２０１ｂ  エキサイター８００  アルミメッシュ板８０１  アルミケース００１  フラットパネル（スチレンボード）００２ａ  エキサイター用リード線００２ｂ  エキサイター用リード線４０１  クッションバー８０２  ゴム足３０１  接着布テープ１０２  ＵＳＢオーデオボード１０４  ステレオ入力アダプター１０３  デジタルパワーアンプ００４  ＵＳＢ  Ａ／Ｂケーブル９００  ノート型パソコン８０３  オールメッシュのスピーカー台１０００  パソコンアームスタンド１００１  パソコントレー取り付けビス１００２  パソコントレー
【図１】
2006067534.tif 000003
【図２】
2006067534.tif 000004
【図３】
2006067534.tif 000005
【図４】
2006067534.tif 000006
【図５】
2006067534.tif 000007
【図６】
2006067534.tif 000008
【図７】
2006067534.tif 000009
【図８】
2006067534.tif 000010